(57)【特許請求の範囲】
【請求項１】
開閉自在なベースプレートとカバープレートとからなり、そのベースプレート上に光ファイバ心線接続スリーブを係止すると共にスリーブ前後の余長部を巻回して載置したのちカバープレートを閉じて収納するための収納カバーにおいて、上記ベースプレートの自由端側にスリーブを係止するための一対のスリーブ受け片を設けると共にベースプレートにスリーブ受け片と係合する係合穴を設けたことを特徴とする収納カバー。
【請求項２】
上記係合穴に係合する上記スリーブ受け片の先端に係合穴の外縁に掛かる掛け爪を形成した請求項１に記載の収納カバー。
【請求項３】
光ファイバ接続部を収納カバーのベースプレートとカバープレートとの間に挟んで収納する際に、収納カバーのベースプレートを保持するための固定台と、該固定台に設けられ固定台を上記収納カバーを綴じるファイリングリングに着脱自在に固定するためのフック手段と、収納カバーのカバープレートをベースプレートから開いた状態に保持する手段とを備えたことを特徴とする収納カバー固定具。
【請求項４】
上記固定台が、上記収納カバーのベースプレートより大きな板状に形成され、ベースプレートの縁部を上記固定台との間に挟んで保持する爪を有する請求項３に記載の収納カバー固定具。
【発明の詳細な説明】
【０００１】
【発明の属する技術分野】
本発明は、光ファイバ心線接続スリーブを係止すると共にスリーブ前後の余長部を収納する収納カバーと、その収納カバーを保持して光ファイバ接続部収納作業を行うための収納カバー固定具に関するものである。
【０００２】
【従来の技術】
地下に敷設した光ファイバは、接続部を収納カバー内に収容して保護されている。
【０００３】
図１０に示すように、収納カバー３０は、アクリル板などを折り曲げて形成されており、それぞれ図５に示すような地下用光クロージャ２内のファイリングリング３，３にファイルされるようになっている。
【０００４】
収納カバー３０内に光ファイバ接続部を収納する作業は、収納カバー３０をファイリングリング３，３にファイルした状態で行う。
【０００５】
具体的には図１１に示すように、まず、収納カバー３０のベースプレート３１とスリーブ受け片３２の間に、心線接続部分を被覆した光ファイバ心線接続スリーブ３３を挟み入れ、心線の余長部３４を巻回しながら収納カバー３０内に収めることにより行う。
【０００６】
【発明が解決しようとする課題】
ところで、収納カバー３０に余長部３４を巻回しながら収めるとき、光ファイバ心線接続スリーブ３３はベースプレート３１とスリーブ受け片３２の間に挟まっているだけであるため、動き易く、作業性が悪いという課題があった。
【０００７】
また、収納カバー３０は、アクリル板などを折り曲げて形成しているため接続部収納作業時にカバープレート３５とベースプレート３１を開いておかなくてはならず、収納カバー３０を押さえて開いておく作業員と、光ファイバ心線接続スリーブ３３及び余長部３４を収納する作業員との二人の作業員が必要であり、作業効率が悪いという課題があった。
【０００８】
そこで、本発明の目的は、上記課題を解決し、一人でも容易に光ファイバ接続部を収納カバーに収納することのできる収納カバーと収納カバー固定具とを提供することにある。
【０００９】
【課題を解決するための手段】
上記目的を達成するために本発明は、開閉自在なベースプレートとカバープレートとからなり、そのベースプレート上に光ファイバ心線接続スリーブを係止すると共にスリーブ前後の余長部を巻回して載置したのちカバープレートを閉じて収納するための収納カバーにおいて、上記ベースプレートの自由端側にスリーブを係止するための一対のスリーブ受け片を設けると共にベースプレートにスリーブ受け片と係合する係合穴を設けたものである。
【００１０】
また、上記係合穴に係合する上記スリーブ受け片の先端に係合穴の外縁に掛かる掛け爪を形成するとよい。
【００１１】
そして、光ファイバ接続部を収納カバーのベースプレートとカバープレートとの間に挟んで収納する際に、収納カバーのベースプレートを保持するための固定台と、該固定台に設けられ固定台を上記収納カバーを綴じるファイリングリングに着脱自在に固定するためのフック手段と、収納カバーのカバープレートをベースプレートから開いた状態に保持する手段とを備えたものである。
【００１２】
また、上記固定台が、上記収納カバーのベースプレートより大きな板状に形成され、ベースプレートの縁部を上記固定台との間に挟んで保持する爪を有するものとするとよい。
【００１３】
【発明の実施の形態】
本発明の好適実施の形態を添付図面に基づいて詳述する。
【００１４】
図５に示すように、収納カバー１は、８心テープで５枚までの光ファイバ接続端を収納して地下用光クロージャ２のファイリングリング３にファイリングするものであり、接続するテープの枚数に応じて用意されファイリングされるようになっている。
【００１５】
図１に示すように、収納カバー１は、透明なアクリル板を２つ折りに折り曲げて形成されたベースプレート４とカバープレート５とからなる。ベースプレート４とカバープレート５は、それぞれ同等の大きさの矩形状に形成されており、折り曲げ部近傍にファイリングリング３を通すためのファイル穴６ａ，６ｂを２つづつ有する。
【００１６】
図１及び図３に示すように、ファイル穴６ａ，６ｂは、収納カバー１を折り曲げた状態で互いに重なり合わされて折り曲げ部７近傍の隅部にそれぞれ位置されるように形成されており、ファイル穴６ａ，６ｂと折り曲げ部７との間にはファイリングリング３をファイル穴６ａ，６ｂに導くための切れ込み８が形成されている。
【００１７】
ベースプレート４は、自由端側に光ファイバ心線接続スリーブ３３を係止するための一対のスリーブ受け片９，９と、カバープレート５を閉じた状態で係止するためのカバー受け片１０とを有し、自由端を挟む両側に巻回した余長部３４を収めるための心線受け片１１を有する。また、ベースプレート４は、スリーブ受け片９，９と係合する係合穴１２を有する。
【００１８】
図１、図２及び図４に示すように、スリーブ受け片９，９は、一端をベースプレート４の自由端側に一体に設けられると共に他端を折り曲げ部７方向へ向ける舌片状に形成されている。また、スリーブ受け片９，９の他端にはスリーブ受け片９，９の幅を茸傘状に拡げて形成された掛け爪１３が形成されており、ベースプレート４に設けられた係合穴１２内にスリーブ受け片９，９の他端を挿入したときに掛け爪１３が係合穴１２の外縁に掛かってスリーブ受け片９，９の抜けを防ぐようになっている。
【００１９】
係合穴１２は、スリーブ受け片９，９を若干弛ませるように位置に決めて形成されており、掛け爪１３より幅狭に形成されている。
【００２０】
図１、図３及び図４に示すように、カバー受け片１０は、ベースプレート４の自由端を幅方向に３つのブロックに分割すると共に、それらブロックを収納カバー１の折り曲げ方向内側に折り曲げて形成されており、カバープレート５の外側に位置させることによりカバープレート５を若干弛ませた状態で閉成させるようになっている。
【００２１】
心線受け片１１は、ベースプレート４の両側に突片を形成すると共に、それら突片を収納カバー１の折り曲げ方向内側に折り曲げて形成されており、心線受け片１１とベースプレート４の間の空間に余長部３４を緩やかに保持するようになっている。
【００２２】
図７に示すように、収納カバー固定具１４は、ベースプレート４を保持するための固定台１５と、収納カバー１のカバープレート５を開いた状態で固定するクリップ１６とからなる。
【００２３】
固定台１５は、収納カバー１のベースプレート４より若干大きな板状に形成されており、収納カバー１のベースプレート４を載置するようになっている。具体的には固定台１５はアルミニウムやプラスチックで薄板状に形成されており、取扱いを容易なものとして作業の効率化を図っている。
【００２４】
また、図７及び図８に示すように、固定台１５にはファイリングリング３に係止される一対のフック部１７，１７が設けられている。フック部１７，１７は、ファイリングリング３に固定したときに固定台１５上に載置した収納カバー１のファイル穴６ａ，６ｂをファイリングリング３に近接させるように固定台１５に設けられており、収納カバー１をファイルした状態に近い状態で保持できるようになっている。
【００２５】
フック部１７，１７は、平面視Ｃ字状に形成されており、ファイリングリング３にワンタッチで嵌まって着脱可能に固定されるようになっている。
【００２６】
そして、固定台１５の両側の四隅近傍には収納カバー１のベースプレート４を押さえるための爪１８が起倒自在に設けられている。爪１８は、それぞれ収納カバー１のベースプレート４の縁部を固定台１５との間に挟んで保持するためのものであり、折り曲げ自在な柔らかな金属板などで形成されている。
【００２７】
図７及び図９に示すように、クリップ１６は、挟み式のものであり、軸１９を介して回動自在に連結され一端側に挟み口２０を形成すると共に他端側に握り部２１，２１を形成する一対の挟み部材２２ａ，２２ｂと、軸の周りに設けられ挟み口２０を閉成するように挟み部材２２ａ，２２ｂを弾性付勢するスプリング（図示せず）とからなる。
【００２８】
クリップ１６の一方の挟み部材２２ｂの握り部２１にはファイリングリング３に係止されるフック部１７が設けられている。フック部１７は固定台１５に設けられたものと同様のものであり、ファイリングリング３にワンタッチで嵌まって着脱可能に固定されるようになっている。
【００２９】
次に作用を述べる。
【００３０】
マンホール内にて光ファイバ接続部を収納カバー１に収納する場合、まず、固定台１５のフック部１７，１７をそれぞれファイリングリング３に嵌め込んで固定する。ファイリングリング３に他の収納カバー１が既に取り付けられている場合、他の収納カバー１を固定台１５で押さえ付けて作業空間を確保し、作業性を高めることができる。
【００３１】
そして、収納カバー１のベースプレート４を固定台１５上に載置し、固定台１５の爪１８をそれぞれ倒すように折り曲げ、ベースプレート４の縁部を爪１８と固定台１５との間に挟んで保持固定する。
【００３２】
クリップ１６が固定台１５の適宜上方に位置されるようにクリップ１６のフック部１７，１７をそれぞれのファイリングリング３に嵌め込んで固定し、握り部を握って挟み口を開き、挟み口に収納カバー１のカバープレート５を挟んで固定する。このことにより、図７に示すような収納カバー１を開いた状態でファイリングリング３近傍に固定しておくことができ、収納カバー１を開いて押さえる作業員がいなくても容易に光ファイバ接続部の収納作業を行うことができる。
【００３３】
収納カバー１内に収納する光ファイバ接続スリーブ３３をそれぞれ２つのスリーブ受け片９，９間に位置させ、光ファイバ接続スリーブ３３の両端近傍をスリーブ受け片９，９とベースプレート４間に挟み、スリーブ受け片９，９の先端を係合穴１２内に挿入する。
【００３４】
スリーブ受け片９，９の先端に形成された掛け爪１３は、スリーブ受け片９，９を係合穴１２内に挿入すると同時に係合穴１２の縁に当たってスリーブ受け片９，９の幅方向に押し縮められ、係合穴１２を通過すると同時に再び拡がって係合穴１２の縁に当たる。このことにより、スリーブ受け片９，９を係合穴１２内に抜け止めした状態で挿入しておくことができ、スリーブ受け片９，９の両端近傍をカバープレート５の２つのスリーブ受け片９，９の間の位置にしっかりと固定しておくことができる。
【００３５】
光ファイバ接続スリーブ３３がカバープレート５に固定されたら、光ファイバ接続スリーブの両端から延びる余長部３４を巻回して収納カバー１内に収容する。このとき、光ファイバは曲げ方向の力に対して弾性的に抗するが、光ファイバ接続スリーブ３３は両端近傍をスリーブ受け片９，９にしっかりと押さえられているため動くことはなく、余長部３４を容易に巻回して収納することができる。
【００３６】
余長部３４を収納カバー１内に収容する場合、巻回した余長部３４が収納カバー１の外周に沿ってできるだけ大きな径で巡るように、かつ、心線受け片１１とベースプレート４の間を経由するように収容し、余長部３４が心線受け片１１に緩やかに保持されるようにする。
【００３７】
そして、収納カバー１に余長部３４が収納されたら各クリップ１６からカバープレート５を外し、カバープレート５をベースプレート４に重ね合わせるように折り曲げ、カバープレート５の自由端をカバー受け片１０とベースプレート４の間に挟み入れてカバー受け片１０に係合させる。このことにより収納カバー１は図６に示すような閉じた状態で保持される。
【００３８】
この後、固定台１５の爪１８を起こして収納カバー１を固定台１５から取り外し、それぞれのファイル穴６ａ，６ｂにファイリングリング３を切れ込み８から入れ、収納カバー１をファイリングリング３に取り付ける。
【００３９】
このようにして全ての光ファイバ接続スリーブ３３及び余長部３４を収納したら、固定台１５とクリップ１６をファイリングリング３から取り外し、作業を終了する。
【００４０】
また、固定台１５は、しおりのように使用することもできる。例えば収納カバー１が多数取り付けてあるファイリングリング３から任意の収納カバー１内に収納された光ファイバ接続部を取り出すとき、取り出す収納カバー１の位置に固定台１５を位置させてファイリングリング３に固定すればよい。このことにより、取り出した収納カバー１を容易に元の位置に戻すことができる。
【００４１】
【発明の効果】
以上要するに本発明によれば、次のような優れた効果を奏する。
【００４２】
（１）光ファイバ接続部を収納カバーへ収納する作業を容易なものとすることができる。
【００４３】
（２）光ファイバ接続部を収納カバーへ収納する作業を一人で行うことができる。
【図面の簡単な説明】
【図１】本発明の好適実施の形態を示す収納カバーの平面図である。
【図２】図１のII−II線矢視断面図である。
【図３】収納カバーの閉じた状態の平面図である。
【図４】図３のIV−IV線矢視断面図である。
【図５】地下用光クロージャの側面図である。
【図６】光ファイバ接続部を収納した収納カバーの平面図である。
【図７】収納カバー固定具の斜視図である。
【図８】固定台の平面図である。
【図９】クリップの側面図である。
【図１０】従来の収納カバーの平面図である。
【図１１】従来の収納カバーの作業説明図である。
【符号の説明】
１  収納カバー
３  ファイリングリング
４  ベースプレート
５  カバープレート
９  スリーブ受け片
１２  係合穴
１３  掛け爪
１４  収納カバー固定具
１５  固定台
１６  クリップ
１７  フック部
１８  爪
【図１】
0003845521.tif 000002
【図２】
0003845521.tif 000003
【図３】
0003845521.tif 000004
【図４】
0003845521.tif 000005
【図５】
0003845521.tif 000006
【図６】
0003845521.tif 000007
【図７】
0003845521.tif 000008
【図８】
0003845521.tif 000009
【図９】
0003845521.tif 000010
【図１０】
0003845521.tif 000011
【図１１】
0003845521.tif 000012